(57)【要約】【課題】  乗車コンベヤにおける情報の提示を簡便かつ即時に、装置を停止させずに行う事のできる乗車コンベヤの表示装置を提供する。【解決手段】  センサ信号Ｓ３１に基づいて、ハンドレール４０のセンサ領域４４にユーザの手が接触したことを検出すると、予め決められた順序で広告画像データをメモリ３９から読み出し、当該読み出した広告画像データに応じた画像信号を生成し、ユーザが接触したハンドレール４０のセンサ領域４４に対応した表示領域４２に広告画像を表示する。このとき、一定の時間間隔で複数の広告画像を順に切り換えて表示するように表示信号を生成する。【選択図】  図２
2010042887.tif 000002
【特許請求の範囲】
【請求項１】
移動手すりを備えた乗車コンベアであって、
表面に画像表示領域が設けられた移動手すりと、
前記乗車コンベアに乗車している乗客の位置を検出するためのセンサと、
前記画像表示領域への表示を制御する表示制御手段と
を有し、
前記表示制御手段は、前記センサからの信号に基づいて、前記移動手すりの表面の前記センサが検出した位置に対して、前記移動手すりの移動向き側に位置する所定領域に画像を表示する処理を行う
乗車コンベヤの表示装置。
【請求項２】
前記センサは、前記移動手すりの表面に設けられたタッチセンサである
請求項１に記載の乗車コンベヤの表示装置。
【請求項３】
前記表示制御手段は、
前記センサが反応した後、所定の複数のコンテンツの画像を順次、所定の時間間隔で表示し、
前記所定の時間が経過するより前に、前記センサの前記反応した位置、並びにその周辺位置が反応した場合に、次のコンテンツの画像の表示に切り換える
請求項１または請求項２に記載の乗車コンベヤの表示装置。
【請求項４】
前記表示制御手段は、
前記画像が表示された領域がユーザが降位置から所定の距離に達したタイミングで、降位置が近づいたことに注意を促す表示に切り換える
請求項１〜３のいずれかに記載の乗車コンベヤの表示装置。
【請求項５】
前記所定の領域に表示された画像に対応した音響を、当該所定の領域に対応した位置に指向させて出力する音響出力手段
をさらに有する請求項１〜４のいずれかに記載の乗車コンベヤの表示装置。
【請求項６】
前記表示制御手段は、複数の店舗から入力した広告画像データを、予め設定されたパターンで選択的に、前記画像表示領域に表示するように制御する
請求項１〜５のいずれかに記載の乗車コンベヤの表示装置。
【請求項７】
乗車コンベヤの移動手すりの表面に設けられたセンサから信号を入力する第１の工程と、
前記第１工程で入力した前記センサからの信号に基づいて、前記移動手すりの表面の前記センサの反応に対応した位置を特定する第２の工程と、
前記第２の工程で特定した位置に対して前記移動手すりの移動向き側に位置する前記移動手すり上の所定領域に画像を表示する処理を行う第３の工程と
を有する乗車コンベヤの表示方法。
【発明の詳細な説明】
【技術分野】
【０００１】
本発明は、表示領域を備えたハンドレールを制御する乗車コンベヤの表示装置およびその方法に関するものである。
【背景技術】
【０００２】
従来のエスカレーター装置や動く歩道装置では、移動手すりの表面に、広告などが表示されたシールが貼り付けられている。
しかしながら、以上の技術によれば、広告内容を変更する場合に、新たにシールを印刷し、既存のシールを剥がした上で、新しいシールを貼るという手段で行われていた。
ところが、これらの手段の実行には、装置を一時停止させる煩雑な作業と時間を要し、情報の更新を即時に行うことが出来ないといった問題を生じていた。
このような問題を解決するために、移動手すりに電子ペーパーを貼り付けるシステムがある。
【特許文献１】特開２００５−２０６３７０号公報
【発明の開示】
【発明が解決しようとする課題】
【０００３】
上述した従来のシステムでは、電子ペーパーに表示する画像を、人の目に触れない復路において書き換えている。
しかしながら、このようなシステムだと、表示する画像をリアルタイムに動的に切り換えることができない。
【０００４】
発明は、乗車コンベヤにおける情報の提示を簡便かつ即時に、装置を停止させずに行う事のできる乗車コンベヤの表示装置およびその方法を提供することを目的とする。
【課題を解決するための手段】
【０００５】
上述した従来技術の問題を解決し、上述した目的を達成するために、本発明の乗車コンベヤの表示装置は、移動手すりを備えた乗車コンベアであって、表面に画像表示領域が設けられた移動手すりと、前記乗車コンベアに乗車している乗客の位置を検出するためのセンサと、前記画像表示領域への表示を制御する表示制御手段とを有し、前記表示制御手段は、前記センサからの信号に基づいて、前記移動手すりの表面の前記センサが検出した位置に対して、前記移動手すりの移動向き側に位置する所定領域に画像を表示する処理を行う。
【０００６】
本発明の乗車コンベヤの表示装置では、乗客が乗客コンベアに乗車すると、センサによって、前記乗車コンベアに乗車している乗客の位置が検出される。
そして、表示制御手段が、前記センサからの信号に基づいて、前記移動手すりの表面の前記センサが検出した位置に対して、前記移動手すりの移動向き側に位置する所定領域を特定する。
そして、前記表示制御手段が、前記特定した位置画像を表示する処理を行う。
【０００７】
本発明の乗車コンベヤの表示装置では、ユーザの手が接触した所定領域に対してのみ画像を表示する。そのため、ユーザが近傍に位置しない領域には画像が表示されず、省電力化を図れる。
また、ユーザの手が接触した領域に対して移動手すりの移動向き側に位置する領域に画像を表示する。そのため、ユーザが乗車している位置から見えやすい位置に画像を表示できる。
【０００８】
また、好適には、本発明の乗車コンベヤの表示装置の前記センサは、前記移動手すりの表面に設けられたタッチセンサである。
【０００９】
また、好適には、本発明の乗車コンベヤの表示装置の前記表示制御手段は、前記センサが反応した後、所定の複数のコンテンツの画像を順次、所定の時間間隔で表示し、前記所定の時間が経過するより前に、前記センサの前記反応した位置、並びにその周辺位置が反応した場合に、次のコンテンツの画像の表示に切り換える。
これにより、ユーザが乗車コンベアを使用する短時間の間に、そのユーザが興味を持つ画像を効率的に表示できる。これにより、広告効果等を高めることができる。
【００１０】
また、好適には、本発明の乗車コンベヤの表示装置の前記表示制御手段は、前記画像が表示された領域がユーザが降位置から所定の距離に達したタイミングで、降位置が近づいたことに注意を促す表示に切り換える。
これにより、ユーザは降位置に近づいたことを知ることができ、乗車コンベヤから安全に降りることができる。
【００１１】
また、好適には、本発明の乗車コンベヤの表示装置は、前記所定の領域に表示された画像に対応した音響を、当該所定の領域に対応した位置に指向させて出力する音響出力手段をさらに有する。
【００１２】
また、好適には、本発明の乗車コンベヤの表示装置の前記表示制御手段は、複数の店舗から入力した広告画像データを、予め設定されたパターンで選択的に、前記画像表示領域に表示するように制御する。
【００１３】
また、本発明の乗車コンベヤの表示方法は、乗車コンベヤの移動手すりの表面に設けられたセンサから信号を入力する第１の工程と、前記第１工程で入力した前記センサからの信号に基づいて、前記移動手すりの表面の前記センサの反応に対応した位置を特定する第２の工程と、前記第２の工程で特定した位置に対して前記移動手すりの移動向き側に位置する前記移動手すり上の所定領域に画像を表示する処理を行う第３の工程とを有する。
【発明の効果】
【００１４】
本発明によれば、乗車コンベヤにおける情報の提示を簡便かつ即時に、装置を停止させずに行う事のできる乗車コンベヤの表示装置およびその方法を提供することができる。
【発明を実施するための最良の形態】
【００１５】
以下、本発明の実施形態に係るエスカレータ広告システムについて説明する。
＜第１実施形態＞
図１は、本実施形態に係るエスカレータ広告システム１の全体構成図である。
図１に示すように、エスカレータ広告システム１は、エスカレータ２１からのセンサ信号を基に、エスカレータ２１のハンドレールに表示する画像信号を生成する。
【００１６】
エスカレータ２１からのセンサ信号は、センサ信号入力部３１を介して制御部３７に入力される。
また、画像信号生成部３５は、制御部３７からの制御に従って画像信号を生成し、これを画像信号出力部３３に出力する。このとき、画像信号生成部３５は、メモリ３９に記憶された画像データに基づいて画像信号を生成する。
当該画像データは、例えば、複数の広告や案内に関する画像データである。
【００１７】
画像信号出力部３３は、画像信号生成部３５から入力した画像信号をエスカレータ２１に出力する。
制御部３７は、センサ信号入力部３１を介して入力したセンサ信号に基づいて、エスカレータ２１の人の手によって接触された領域付近の表示領域に広告画像を表示するように画像信号生成部３５を制御する。
【００１８】
エスカレータ２１は、図２に示すように、ハンドレール４０の表面部分に表示領域４２とセンサ領域４４とを備えている。
表示領域４２には、画像信号出力部３３から入力した画像信号に応じた画像が表示される。
表示領域４２は、電子ペーパ、液晶ディスプレイ等の薄型の表示デバイスで構成される。
【００１９】
センサ領域４４は、例えば、タッチセンサを用いて構成される。
なお、センサ領域４４は、赤外線センサ等でもよい。
【００２０】
なお、ハンドレール４０が本発明の移動手すりの一例であり、表示領域４２が本発明の画像表示領域の一例であり、センサ領域４４が本発明のセンサの一例であり、画像信号生成部３５および制御部３７が本発明の表示制御手段の一例である。
【００２１】
以下、図１に示すエスカレータ広告システム１の動作例について説明する。
図３は、図１に示すエスカレータ広告システム１の動作例について説明するためのフローチャートである。
ステップＳＴ１：
制御部３７は、センサ信号入力部３１からのセンサ信号Ｓ３１に基づいて、ハンドレール４０にユーザの手が接触したことを検出すると、ステップＳＴ２に進む。
【００２２】
ステップＳＴ２：
制御部３７は、画像信号生成部３５に画像表示を行う旨の指示を出力する。
画像信号生成部３５は、制御部３７からの指示に応じて、予め決められた順序で広告画像データをメモリ３９から読み出し、当該読み出した広告画像データに応じた画像信号を生成し、これを画像信号出力部３３に出力する。
当該画像信号は、画像信号出力部３３を介してエスカレータ２１の表示領域４２に出力される。
【００２３】
これにより、画像信号に応じた広告画像が、ステップＳＴ１でユーザが接触したハンドレール４０のセンサ領域４４に対応した表示領域４２に表示される。
なお、画像信号生成部３５は、例えば、一定の時間間隔で複数の広告画像を順に切り換えて表示するように表示信号を生成する。
【００２４】
本実施形態では、図２に示すように、ハンドレール４０上で接触されたセンサ領域４４に対してハンドレール４０の進行方向（図２中矢印）に隣接する表示領域４２に広告画像が表示される。
表示領域４２のハンドレール４０の長手方向の長さは、例えば、１０〜４０ｃｍである。
【００２５】
ステップＳＴ３：
制御部３７は、センサ信号入力部３１からのセンサ信号Ｓ３１に基づいて、ハンドレール４０をユーザが手などで叩くなどして、スキップ指示を入力したことを検出すると、ステップＳＴ４に進む。
なお、スキップ指示は、ハンドレール４０を叩く以外に、なぞる等、センサ信号Ｓ３１で感知できる様々な動作であってもよい。
制御部３７は、スキップ指示を入力していないと判断すると、ステップＳＴ５に進む。
【００２６】
ステップＳＴ４：
制御部３７は、次の広告画像に切り換える旨の指示を画像信号生成部３５に出力する。
画像信号生成部３５は、メモリ３９から次に表示する広告画像の画像データを読み出し、それを表示する画像信号を生成し、画像信号出力部３３に出力する。
これにより、表示領域４２に表示される広告画像が切り切り換る。
このようなスキップ指示で広告画像を切り換えることで、ユーザに興味があるコンテンツを適切に提供することができる。
【００２７】
ステップＳＴ５：
制御部３７は、エスカレータ２１からの移動位置情報を基に、広告画像を表示中の表示領域４２が予め決められた降位置直前に位置したか否かを判断し、そうであると判断した場合にステップＳＴ６に進む。
また、制御部３７は、降位置直前ではないと判断すると、ステップＳＴ３の処理に戻る。
【００２８】
ステップＳＴ６：
制御部３７は、画像信号生成部３５に降案内画像表示指示を出力する。
画像信号生成部３５は、制御部３７からの降案内画像表示指示に応じて、メモリ３９から降案内画像データを読み出し、これに応じた画像信号を生成し、当該画像信号を画像信号出力部３３に出力する。
画像信号出力部３３は、画像信号生成部３５から入力した画像信号をエスカレータ２１に出力する。これにより、ステップＳＴ５で降位置直前であると検出されたエスカレータ２１の表示領域４２に対して、入力した画像信号に応じて降案内画像が表示される。
当該降案内画像は、
【００２９】
上述したようにエスカレータ広告システム１は、エスカレータ２１のハンドレール４０の表示領域のうち、ユーザの手が接触したセンサ領域４４に対応（例えば、隣接）した表示領域４２にのみ広告画像を表示する。
そのため、ユーザが近傍に位置しない表示領域４２には広告画像が表示されず、省電力化を図れる。
【００３０】
また、エスカレータ広告システム１は、ユーザの手が接触したセンサ領域４４に対してハンドレール４０の移動向き側に位置する表示領域４２に広告画像を表示する。そのため、ユーザが乗車している位置から見えやすい位置に広告画像を表示できる。
【００３１】
また、エスカレータ広告システム１は、ユーザがセンサ領域４４を叩く等してスキップ指示を入力すると、表示領域４２に次の広告画像を表示する。これにより、ユーザがエスカレータ２１を使用する短時間の間に、そのユーザが興味を持つ広告画像を効率的に表示できる。これにより、広告効果を高めることができる。
【００３２】
また、エスカレータ広告システム１では、表示領域４２が降位置近くに位置すると、表示領域４２の表示を広告画像から降案内画像に切り換える。
これにより、ユーザは降位置に近づいたことを知ることができ、エスカレータ２１から安全に降りることができる。
【００３３】
＜第２実施形態＞
上述した第１実施形態では１つのエスカレータ２１について説明したが、本実施形態では、複数のエスカレータ２１のハンドレール４０における広告表示を一括して制御するシステムを説明する。
図４は、本発明の第２実施形態のエスカレータ広告システム１０１を説明するための図である。
【００３４】
図４に示すように、エスカレータ広告システム１０１は、ｎ個のエスカレータ２１−１〜２１−ｎ、管理サーバ５０、店舗のコンピュータ５２−１〜５２−ｍを有する。
エスカレータ２１−１〜２１−ｎは、それぞれ第１実施形態で説明したエスカレータ２１と同じである。
【００３５】
管理サーバ５０は、第１実施形態のセンサ信号入力部３１、画像信号出力部３３、画像信号生成部３５および制御部３７を機能的に備えた構成を有している。
店舗のコンピュータ５２−１〜５２−ｍは、例えば、エスカレータ２１−１〜２１−ｎに広告画像を提供する店舗で使用される。
【００３６】
エスカレータ広告システム１０１では、例えば、店舗のコンピュータ５２−１〜５２−ｍから広告画像データが管理サーバ５０に送信され、メモリ３９に書き込まれる。
また、店舗のコンピュータ５２−１〜５２−ｍから制御部３７に、広告画像データの表示条件を設定する。
当該表示条件は、例えば、自らの店舗が位置するフローに向かう位置にあるエスカレータ２１−１〜２１−ｎにのみ広告画像を表示するという条件や、自らの店舗が位置するフロアーに近いエスカレータ２１−１〜２１−ｎにより高い頻度で広告画像を出す等の条件である。
【００３７】
制御部３７は、上記設定された条件に基づいて、各店舗の広告画像を表示する指示を画像信号生成部３５に出力する。
画像信号生成部３５は、当該指示に基づいて、メモリ３９から広告画像データを順に読み出して画像信号を生成する。
【００３８】
また、制御部３７は、例えば、図３に示すステップＳＴ３で入力したスキップ指示に基づいて、各広告画像についてスキップされた数を集計し、その数を対応する店舗のコンピュータ５２−１〜５２−ｍに出力する。
各店舗の管理者は、制御部３７から入力された上記スキップされた数に基づいて、自らの店舗が出した広告の反響を即座に知ることができる。これにより、広告の反響が悪い場合には、広告画像を変更する等の対処を行うことができる。
【００３９】
＜その他の実施形態＞
上述した実施形態において、表示領域４２に表示する広告画像内に、視覚的に認識困難でカメラによる撮像で認識可能な形式で所定のサービス情報を埋め込んでもよい。この場合に、ユーザが携帯電話のカメラ等で表示領域４２を撮像し、画像処理により、表示領域４２に表示された広告画像に埋め込まれたサービス情報を認識してもよい。
サービス情報としては、店舗で使用可能なクーポン、あるいは当該店舗のホームページアドレス等がある。
このようなサービス情報を広告画像内に埋め込むことで、表示領域４２の広告画像に関連する多様な情報を提供できる。
【００４０】
また、上述した実施形態では、表示領域４２に広告画像を表示する場合を例示したが、広告画像に連動して音声・音響を出力してもよい。このとき、指向性の高いスピーカを用いることで、表示領域４２の位置に対応した乗客にのみ音声・音響を出力できる。
【００４１】
また、上述した実施形態では、表示領域４２とセンサ領域４４は、図２に示すように隣接する異なる領域に形成したが、図５に示すように、同じ領域に形成してもよい。
【００４２】
また、上述した実施形態において、同じ乗位置の右側のハンドレール４０の表示領域４２と、左側のハンドレール４０の表示領域４２とで異なる広告画像を表示するようにしてもよい。
また、これら右側のハンドレール４０の表示領域４２の広告画像と左側のハンドレール４０の表示領域４２の広告画像とを何らかのパターンで連動させてもよい。
【００４３】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００４４】
上述した実施形態では、表示領域４２に広告画像を表示する場合を例示したが、それ以外に例えば映画やニュース等のその他のコンテンツ画像を表示してもよい。
【００４５】
また、上述した実施形態では、ハンドレール４０にのみ表示領域４２を設けた場合を例示したが、ハンドレール４０が取り付けられた欄干の側面部や、乗客が立つ床などにディスプレイを設け、これらの表示と表示領域４２の表示とを所定のパターンで連動させるようにしてもよい。これにより、広告効果等を高めることができる。
【００４６】
また、上述した実施形態では、本発明のセンサとして、タッチセンサを例示したが、赤外線センサ等のタッチセンサ以外のセンサを用いてもよい。
【００４７】
また、画像信号生成部３５とエスカレータ２１の表示領域４２およびセンサ領域４４との間での信号の送受信は、有線でも無線でもよい。
【００４８】
また、上述した実施形態では、ハンドレール４０のセンサ領域４４に乗客が触れたことを条件に表示領域４２に画像を表示する場合を例示したが、例えば、常時表示モードを設けて、常時表示モードの場合には、センサ領域４４への接触の有無とは無関係に全てのあるいは一部の表示領域４２に常に画像を表示するようにしてもよい。
【００４９】
また、上述した実施形態において、表示領域４２として、視野角が狭いディスプレイを用い、センサ領域４４に手が触れる位置、あるいはその近傍の乗客の目線からのみ見えるようにしてもよい。これにより、エスカレータ２１の周囲からは表示領域４２に表示された画像は見えず、エスカレータ２１のハンドレール４０に美観が損なわれることを防止できる。
なお、上述した実施形態において、広告のほかに、エスカレータの利用客の安全を守るために、音声、文字、イラストで利用客に注意を促すようにしてもよい。
【産業上の利用可能性】
【００５０】
本発明は、表示領域を備えた乗車コンベヤを制御するシステムに用いられる
【図面の簡単な説明】
【００５１】
【図１】図１は、本発明の第１実施形態に係るエスカレータ広告システムの全体構成図である。
【図２】図２は、図１に示すエスカレータのハンドレールの表面側の構成を説明するための図である。
【図３】図３は、図１に示すエスカレータ広告システム１の動作例について説明するためのフローチャートである。
【図４】図４は、本発明の第２実施形態のエスカレータ広告システムを説明するための図である。
【図５】図５は、図２に示すハンドレールの表面側のその他の構成例を説明するための図である。
【符号の説明】
【００５２】
１，１０１…エスカレータ広告システム１
２１…エスカレータ
３１…センサ信号入力部
３３…画像信号出力部
３５…画像信号生成部
３７…制御部
３９…メモリ
４０…ハンドレール
４２…表示領域
４４…センサ領域
【図１】
2010042887.tif 000003
【図２】
2010042887.tif 000004
【図３】
2010042887.tif 000005
【図４】
2010042887.tif 000006
【図５】
2010042887.tif 000007